(57)【要約】【課題】ホタルを蛹の状態で容易、確実、効率的かつ安全に捕獲でき、また捕獲後の移動にも適したホタルの養殖装置と方法の提供。【解決手段】底部に砂などを散在させた疑似小川、少なくともその片側に設けたホタルの幼虫の上陸用疑似土手、およびハウジング、とを有するホタルの養殖装置であって、上陸用擬似土手の上面に設けた床面、床面に載置された土壌を収容し擬似土手の一部を形成する取り出し可能な箱型容器、清水の供給および廃水装置とを設けたホタルの養殖装置とその装置を利用したホタルの養殖方法。【選択図】        図２
2004222704.tif 000002
【特許請求の範囲】
【請求項１】
底部に砂を敷き、小石、小岩などを砂の上に散在させた疑似小川、疑似小川の少なくとも片側に設けたホタルの幼虫の上陸用疑似土手、および天井部の少なくとも一部に網状の蓋部を有する、擬似小川と擬似土手とを包囲し、擬似小川の上流側を高く下流側を低くなるように形成したハウジング、とを基本的に有するホタルの養殖装置において、
上陸用擬似土手の上面に設けた廃水機能をもつ床面、
床面に載置されたホタルの幼虫の蛹化に適した土壌を収容し廃水機能を有する擬似土手の一部を形成する取り出し可能な箱型容器、
擬似小川の上流側に設けた清水の供給装置、
擬似小川の下流側に設けた清水の排出装置、
とを設けたことを特徴とするホタルの養殖装置。
【請求項２】
箱型容器に収容する土壌が砂、もみ殻、おが屑、腐葉土及び／又は粘土質土などにより構成された擬似土壌である請求項１のホタルの養殖装置。
【請求項３】
複数の箱型容器を上陸用擬似土手の床面に並併置する請求項１のホタルの養殖装置。
【請求項４】
箱型容器にパーティションを設けた請求項１乃至３のホタルの養殖装置。
【請求項５】
パーティションに代えて廃水機能を有し上部が開放されている複数の小型の箱体を箱型容器内に並置した請求項４のホタルの養殖装置。
【請求項６】
基本的に擬似小川と培養土壌を収納した箱型容器よりなる擬似土手よりなる人工培養装置の擬似小川にホタルの幼虫を放流してカワニナなどの餌を与えて飼育し、擬似土手の箱型容器内にホタルの幼虫を登らせて幼虫を箱型容器内で蛹化させることを特徴とするホタルの養殖方法。
【請求項７】
基本的に擬似小川と培養土壌を収納した箱型容器を含む擬似土手と全体を包囲した通気性を有する閉じた空間を形成するハウジングよりなる閉じた環境である人工養殖装置内において、擬似小川にホタルの幼虫とカワニナを放流してともに飼育し、擬似土手の箱型容器内にホタルの幼虫を登らせてホタルの幼虫を箱型容器内で蛹化させ、その蛹を羽化させ、羽化した成虫に産卵させ、卵を孵化させて幼虫を誕生させ、擬似小川で育った幼虫を擬似土手の箱型容器内で蛹化させる、この行程を循環させることを特徴とするホタルの養殖方法。
【請求項８】
蛹化した蛹の全体あるいは一部を箱型容器ごと取り出して別の環境で飼育して成虫を得、取り出した箱型容器の後には土壌を入れた新しい箱型容器を載置することを特徴とする請求項６または７のホタルの養殖方法。
【発明の詳細な説明】
【０００１】
【発明の属する技術分野】
本発明は、ホタルの養殖方法およびホタルの養殖装置に関し、より詳しくはホタルの蛹と成虫を極めて容易、効率的、安全かつ確実に捕獲できるとともに、また捕獲した蛹を余計な手間をかけることなく好適な環境で輸送して所望の場所で羽化させろことを容易に可能にするホタルの養殖装置およびホタルの養殖方法に関する。
【０００２】
【従来の技術】
ホタルの生息環境は所謂汚染に極めて敏感であり、近時生息環境が極端に破壊されて自生のホタルは日本全国で殆ど見られなくなってきている。
このためホタルの人口飼育が試みられて来ているが、好適な生息環境を作ることは小規模であればともかくある程度の規模のものになると非常に困難であるため、成功しているものは殆どないのが実情である。
【０００３】
また、たまたま自然生育しているところがあっても、上記のようにホタルの生育環境が極めて限定されるのでホタルを別の場所に移動させて繁殖を図ることが殆ど全く出来ない。
このためにホタルを知らない子供たちが多くなり、情操教育上も好ましくないし、またホタルの生息はそのまま自然環境のバロメーターの一つであることにもなるのでホタルの生息地を増やすことが環境浄化の取り組みとしても好ましいことであるため、ホタルの飼育が自然、人工に拘わらず試みられるようになって来ている。
【０００４】
ホタルの生育に適した自然の生育環境を回復することはそれとして、他方好適な生育環境に回復した場所にホタルを移動させること、人工飼育のためにホタル自体をホタルのどこかの生育段階でそのときの生育環境をできるだけ変えることなく移動することは非常に重要なことになる。
しかし、現在の状況では卵、幼虫の段階で捕獲して移動することは幾分容易であっても移動先の環境、施設が整えられていなければならず制限がある。
これに対して蛹の段階で捕獲、移動することは移動先の環境、施設等については卵、幼虫の段階でよりも制限は同等あるいは少ないかもしれないが、捕獲、移動自体に大きな制限を受ける。
【０００５】
例えば蛹の段階で捕獲、移動する場合には非常の多くの困難と制約を受ける。自然界で生育するホタルは大体四月に幼虫が川中から川岸の土手に上がって土の中で蛹になるのであるが、川岸の土手に上かる時期は数時間等という短時間ではなく３、４週間の長期にわたり、また土手の何処にもぐり込んでいるかは判別できないので確実に蛹を捕獲するには土手の広い範囲を掘り起こして蛹を見つけ出して捕獲し、掘り返した土手は直ちに次の幼虫が上がってくるのに備えて埋め戻して整えておかなくてはならない。
このような作業では、的確な蛹の捕獲は出来ないのみならず、蛹を傷つける危険が非常に大きく、作業の大変さと相まって実験的な試みであればともかく実際には殆ど不可能であり、蛹の捕獲率も極めて低い。また、蛹をどの成長時点で捕獲したかの精確な把握は全くできないので、その後の生育管理に関しても好ましくない。
【０００６】
従来提供されて来ているホタルの養殖装置でも、蛹の捕獲という面では自然界におけるとあまり変わることがないので、長期間にわたる蛹化に合わせて順次蛹を捕獲すること、蛹を傷つけることなく捕獲することは非常に困難であるので、羽化前に一括して捕獲する以外ないが、確率用かつ傷つけることなく捕獲することが自然状態よりはいくらかは容易であるとはいえ、困難であることに変りはなく、循環的飼育環境としてはともかく、蛹の状態で捕獲することには全く適合していない。
また、捕獲にあたって蛹の身近の生育環境はできるだけ変化させることないことが好ましいことは言うまでもいないが、従来においてはそのようなことはほとんど不可能であった。
【０００７】
このように、従来、ホタルの養殖装置はいくつかの提案がされて来ているが、いずれも単にせいぜい実験的な規模と目的でホタルの養殖をすることのみを目的とするものばかりであり、ホタルをどこかの生育段階で捕獲し、それをいわゆる歩留りよく養殖し、さらには捕獲したものを移動（輸送）することを視野に入れて、その目的のために開発されたものは全くない。
【０００８】
【発明が解決しようとする課題】
本発明はこのような特にホタルの蛹の段階での容易、確実、効率的かつ安全な捕獲と捕獲した蛹の安全、容易、高い生存率での輸送の実現とそこから発展してホタルの商品化に寄与することを目的のものである。
【０００９】
【課題を解決するための手段】
本発明は上記の課題を解決するために、底部に砂を敷き、小石、小岩などを砂の上に散在させた疑似小川、疑似小川の少なくとも片側に設けたホタルの幼虫の上陸用疑似土手、および天井部の少なくとも一部に網状の蓋部を有する、擬似小川と擬似土手とを包囲し、擬似小川の上流側を高く下流側を低くなるように形成したハウジング、とを基本的に有するホタルの養殖装置において、上陸用擬似土手の上面に設けた廃水機能をもつ床面、床面に載置されたホタルの幼虫の蛹化に適した土壌を収容し廃水機能を有する擬似土手の一部を形成する取り出し可能な箱型容器、擬似小川の上流側に設けた清水の供給装置、擬似小川の下流側に設けた清水の排出装置、とより構成した。
【００１０】
箱型容器内の土壌は天然土壌でも良いが、砂、もみ殻、おが屑、腐葉土及び／又は粘土質土などにより構成された人工の擬似土壌であることが飼育処理上からも好ましい。
箱型容器は本発明の目的からしてあまり大き過ぎるものは好ましくない。一人の作業者が土壌の入ったままのものを容易に扱える程度がよい。
箱型容器は疑似土手の床面に大型のものを１個あるいは少数載置するのではなく、より小型の箱型容器を多数載置することが本発明の目的の達成のため、また取り扱い上あるいは管理上などから好ましい。
箱型容器にはパーティションを設けることが好ましい。蛹の入っているパーティション区分の土のみを蛹に入ったまま少量単位で取り出すことにより、蛹を全く傷つける恐れなく、しかも他の土壌に影響を与えず扱い易い小規模の状態で取り出せるので極めて好ましい。
【００１１】
さらに、固定的なパーティションに代えて、廃水機能を有し上部が開放されている（即ち蓋のない）小型の箱体を複数個箱型容器内に並べておいて、その小型の箱体に擬似土壌を入れてホタルの幼虫が入り込んで蛹になるようにすると、その小型の箱体単位で取り出すことができ、取り出した小型の箱体の場所には新しい箱体を差し替えればよく、効率的、経済的であるとともに他の土壌に全く影響を与えることなく土壌ごと蛹を捕獲できるので極めて好ましい。
【００１２】
この小型の箱体は例えば不織布、フェルト、木材チップ、故紙などを素材とするものであれば、その素材自体連続気泡型多孔体で廃水機能があるので態々廃水機構を設ける必要がなくて便利である。
小型の箱体の大きさは特に制限はないが、一つのものにホタルの幼虫があまり多くはいることのない大きさが好ましい。例えば、幼虫が１〜２匹はいる程度が最適である。
また、小型の箱体の平面形状も正方形、方形、三角形、多角形、円形など特に制限はない。
さらに、１個の箱型容器に全部同じ小型の箱体を並置するのではなく、大きさ、形状の異なるものを適当に並置することも可能である。
水路の水中には水温計を、装置内部の水路外の適宜の場所、好ましくは疑似土手の上方に温度計を設置することが好ましい。ホタルの上陸、蛹化、羽化などは温度と密接な関係があり、養殖において環境温度を知ることは重要な要件である。水温は流水の供給元で管理、調節することも可能であるが、実際に幼虫の棲息している装置内の水路の現実の温度を知ることが重要である。
【００１３】
本発明においては、幼虫又は蛹の潜っている土壌ごとそのままの状態で捕獲するので、幼虫又は蛹の生育環境が全く変化したり損なわれることがないし、ホタルの幼虫が土手の土の中に潜った後短時間の中に的確に捕獲できるので、固体の成長段階についてバラツキが少ない状態で且つ幼虫が土中に潜った時期を精確に把握して捕獲できることになり、例えば羽化の時期を揃えるなどその後の羽化に至るまでの管理にとって極めて好ましいといえる。
さらにまた、本発明におけるような時期での土壌ごとの捕獲の別の利点は、捕獲後の蛹の状態での管理は、長期間水や酸素を生体に供給しなくても蛹に悪影響はほとんど及ばないので、管理が極めて簡単、容易である。このため、高い生存率で長時間、長距離の輸送を容易に行うことができる点である。このような移動の容易さは、他の場所でのホタルの飼育のため、さらにはホタルの商品化にも欠かすことのできない条件であり、本発明はその実現を可能とするものである。
【００１４】
【実施例】
実施例を表した図を参照して本発明を詳細に説明する。
図１は本発明によるホタルの養殖装置の概略鳥瞰図、図２は図１の装置の蓋を外した状態の部分拡大斜視図、図３は図２のＩＩＩ−ＩＩＩ線断面図である。
この装置は基本的に木造であり、必要な箇所には防水塗装、防水パテなどを施して、漏水防止、防水・防腐措置をした。
１はハウジング、２は水路（擬似小川）、３は堤防壁、４は堤防上面に設けた床面、５は箱型容器６に擬似土壌７を入れた小型箱体８を並置した擬似土手である。
【００１５】
この装置は全長約７．５ｍ、幅１．２ｍ、高さ７０ｃｍであり、川上側を約５０ｃｍ高くなるように傾斜させて設置した。
水路（擬似小川）２の底には砂９を敷きつめ、水を流した時の水面上に上部が露出する大きさの小岩１０を十数個平均的な間隔で散在させるとともに水中に水没する大きさの小石を多数砂の上に散在させた。
上流側のハウジング側壁上部に給水口１１を設け、下流側の側壁の最下部で水路（擬似小川）２の水面下になる位置に排水口１２を設けた。給水口および排水口にはそれぞれ水量調節用のコックを設けると水路（擬似小川）２の流水量を適宜調節できて都合がよい。
【００１６】
擬似土手の床面４には多数の廃水孔１３が設けてある。
また、１４は網状の天蓋１５を受ける桟である。図１においては天蓋１５は一部開けてあり、図２、図３においては天蓋は省略してある。
図２及び図３において１６は水温計、１７は温度計である。
図４、図５、図６は擬似土手の一部を形成する箱型容器６、箱型容器内に並置した小型箱体８の詳細を示す。
【００１７】
箱型容器６は長さ４０ｃｍ、幅３０ｃｍ、高さ８ｃｍのプラスチックス製かご状コンテナを用い、中に図６に示す箱体８を隙間のないように並べ、すべての箱体８の中には砂、もみ殻、おが屑、腐葉土、粘土質土よりなる混合擬似土壌７をいっぱいに詰めた。同上はあまり固くなくゆるめに詰める。
箱体８はポリエステル繊維不織布製で、頂面（天井部）は開放してある。従って箱体自体に透水機能があるので特に廃水機構は設ける必要はない。
上記の装置ではこの箱体８を入れた箱型容器６を長手方向に片側に１８個並べてある。
【００１８】
この装置を用いてホタルの養殖を行った。
８月ゲンジボタルの幼虫を約１５００匹水路（擬似小川）に放流した。幼虫は大きいものから採用した。
水路（擬似小川）へは水道水をカルキ抜きして数日間放置した水を、平均１０ｌ／分で流した。水は循環使用したが、全体を毎日新しいものに取り替えて行った。
【００１９】
水路にはカワニナを併せて放流し、カワニナには餌としてキャベツ、レタス、クレソンを適宜与えた。カワニナは１１月からから幼虫の成長に合わせて適宜量与えた。幼虫が上陸し終えるまでに約１５ｋｇのカワニナを与えた。死んだカワニナの殻は取り除かずそのままにした。
翌年４月から幼虫が上陸して擬似土壌に入って蛹化するようになったが、幼虫が擬似土壌が入ったところは表面に幼虫が掘った跡が残るので、毎日観察して幼虫の入った擬似土壌は箱体単位で取り出し、取り出した後には擬似土壌入りの新しい箱体を補充した。このようにして幼虫が上陸して擬似土壌の中に入って蛹化したものは全て捕獲できた。
【００２０】
捕獲した蛹の総数は約８００匹であった。上陸した幼虫（蛹）はほぼ１００％捕獲できたはずであるので、幼虫の生存率は約６０％で自然界での生存率は勿論一般的な従来の人工養殖の場合の平均的な生存率よりはるかに高い生存率であった。
さらに、上陸して蛹化したものの捕獲率はほぼ１００％であり、この捕獲率は本発明のホタルの養殖装置、特に交換可能な擬似土手、擬似土壌による画期的な効果であると言える。
【００２１】
本発明のホタルの養殖装置は、上記のように蛹の状態で確実かつ安全に捕獲することに極めて適したものであるが、ホタルの循環的養殖にも同様に好ましく使用できることは勿論である。
その場合は蛹化した蛹を全部捕獲することなく一部をそのまま残して羽化させて成虫にし、成虫に産卵させ、卵を孵化させて幼虫にすることでホタルの循環飼育が可能になる。
【００２２】
ホタルの雌１匹が産む卵の個数は環境（例えばエサなど）の影響や個体差があるが、大体３００〜５００個程度の卵を産卵するので、この装置だけについていえば多くの蛹を残す必要はない。
この装置での循環養殖の場合には、水路（擬似小川）に水面より出る小岩の水面上の部分に苔を敷いて産卵場所にする。
循環養殖の場合には網状の蓋は少なくとも成虫が発生する時期には必須である。他の時期にも外からの外敵や異物などの侵入等を防止するためにある方が好ましい。
本発明のホタルの養殖装置は屋外に設置することも屋内に設置することも可能であるが、できるだけ自然条件の影響を与えるという意味では屋外に設置することが好ましいと言える。
【００２３】
【発明の効果】
本発明のホタルの養殖装置によれば、ホタルを幼虫が土中に潜った状態あるいは蛹の状態で且つ幼虫あるいは蛹の生育環境を殆ど全く変えることなく土壌ごとそのままの状態で容易、確実、効率的かつ安全に捕獲することができる。
そのため、その後の生育管理も非常に容易に行うことが出来、捕獲後の生体の生存の歩留りも極めて高くなる。
また、生育時期についてバラツキが少ない状態で捕獲できるので、捕獲後のホタルの生育についての管理、例えばほぼ同じ時期に羽化させるなども極めて容易にできる。
さらに、小型の容器単位で独立状態で捕獲できるので、捕獲した幼虫あるいは蛹の蛹を長時間、長距離移動させるには極めて好適である。移動の容易さは、他の場所でのホタルの飼育に非常に役立つのみならず、ホタルの商品化にも大きく貢献する。
【図面の簡単な説明】
【図１】本発明のホタルの養殖装置の概略鳥瞰図である。
【図２】図１のホタルの養殖装置の部分拡大斜視図である。
【図３】図２のＩＩＩ−ＩＩＩ線断面図である。
【図４】擬似土壌の箱型容器の斜視図である。
【図５】図４のＩＶ−ＩＶ線断面図である。
【図６】箱型容器に収容する箱体の斜視図である。
【符号の説明】
１  ハウジング
２  水路（擬似小川）
３  堤防壁
４  擬似土手の床面
５  擬似土手
６  箱型容器
７  擬似土壌
８  小型箱体
９  砂
１０  小岩
１１  給水口
１２  排水口
１３  床面の排水孔
【図１】
2004222704.tif 000003
【図２】
2004222704.tif 000004
【図３】
2004222704.tif 000005
【図４】
2004222704.tif 000006
【図５】
2004222704.tif 000007
【図６】
2004222704.tif 000008